(57)【要約】【課題】画像比率が高い画像の連続画像形成を高速で実行しても、二次転写ローラのトナーが適正にクリーニングされて、記録材に裏汚れが発生しにくい画像形成装置を提供する。【解決手段】中間転写ベルト９に担持されたトナー像が１００ｍｍの給送間隔で二次転写部Ｔ２へ給送される記録材へ連続的に二次転写される。電源Ｄ２は、最初の４回の給送間隔でマイナスバイアスを二次転写ローラ１６に印加し、続く１回の給送間隔でプラスバイアスを二次転写ローラ１６に印加する。マイナスバイアスの印加回数とプラスバイアスの印加回数との比率を４／１とすることで、二次転写ローラ１６に蓄積されるトナー量は最小に制御される。【選択図】図１
2010181470.tif 000002
【特許請求の範囲】
【請求項１】
像担持体と、像担持体上にトナー像を形成するトナー像形成手段と、前記像担持体に形成されたトナー像を記録材に転写する転写部材と、非画像形成時に前記転写部材にトナーの正規の帯電極性と同極性の電圧が印加されることで前記転写部材をクリーニングする第１クリーニングモードと非画像形成時に前記転写部材にトナーの正規の帯電極性と逆極性の電圧が印加されることで前記転写部材をクリーニングする第２クリーニングモードとを実行する実行部と、を有する画像形成装置において、
前記実行部は画像形成装置の使用環境に応じて第１クリーニングモードが実行される時間と第２クリーニングモードが実行される時間との割合を変更することを特徴とする画像形成装置。
【請求項２】
像担持体と、前記像担持体上にトナー像を形成するトナー像形成手段と、前記像担持体から転写されたトナー像を担持する中間転写体と、前記中間転写体に形成されたトナー像を記録材に転写する転写部材と、前記転写部材にトナーの正規の帯電極性と同極性の電圧が印加されることで前記転写部材をクリーニングする第１クリーニングモードと前記転写部材にトナーの正規の帯電極性と逆極性の電圧が印加されることで前記転写部材をクリーニングする第２クリーニングモードとを実行する実行部と、を有する画像形成装置において、
前記実行部は画像形成装置の使用環境に応じて第１クリーニングモードが実行される時間と第２クリーニングモードが実行される時間との割合を変更することを特徴とする画像形成装置。
【請求項３】
連続して記録材上に画像を形成する連続画像形成時には、画像形成動作間に前記転写部材に電圧が印加されることで前記転写部材はクリーニングされ、前記実行部は画像形成動作間に選択されるクリーニングモードの割合を変更することを特徴とする請求項１または請求項２のいずれかに記載の画像形成装置。
【請求項４】
前記像担持体上に形成された静電像をトナーにより現像する現像装置を有し、画像形成装置の画像形成回数が多くなると、第２クリーニングモードが実行される時間をより多くすることを特徴とする請求項１から請求項３に記載の画像形成装置。
【請求項５】
形成される画像の画像比率がより低くなると、より第１クリーニングモードが実行される時間をより大きくすることを特徴とする請求項１から請求項４に記載の画像形成装置。
【請求項６】
形成される画像の画像比率がより高くなると、より第２クリーニングモードが実行される時間をより大きくすることを特徴とする請求項１から請求項５に記載の画像形成装置。
【請求項７】
画像形成装置は湿度を検知する湿度検知部を有し、検知された湿度が低くなると、前記第１クリーニングモードが実行される時間をより大きくすること特徴とする請求項１から請求項６に記載の画像形成装置。
【発明の詳細な説明】
【技術分野】
【０００１】
本発明は、転写ローラを用いて像担持体から記録材へトナー像を転写させる画像形成装置、詳しくは非画像形成時に転写ローラを静電的にクリーニングする制御に関する。
【背景技術】
【０００２】
像担持体（感光体又は中間転写体）に転写ローラを当接させて記録材に対するトナー像の転写部を形成する画像形成装置が広く用いられている。
【０００３】
像担持体の非画像部は、トナー像が形成されない白地部であっても、少量のかぶりトナーが付着しているため、画像形成を累積していくと、かぶりトナーが転写ローラに移転して電荷を喪失して次第に蓄積する。そして、転写ローラに蓄積したトナーは、画像形成される記録材の裏面へこすり取られるため、転写ローラに蓄積したトナーが所定の限界量を越えると記録材に裏汚れが目立つようになる。
【０００４】
このため、従来の画像形成装置では、転写ローラに専用のクリーニング装置を配置して、転写ローラにトナーが蓄積することを阻止している（特許文献１）。
【０００５】
しかし、転写ローラに専用のクリーニング装置を配置すると、転写ローラの回転負荷が増えたり、転写部の周囲の機構が複雑化したりする。
【０００６】
これに対して、特許文献２は、記録材の給送間隔（紙間）で転写ローラに電圧を印加して、転写ローラに蓄積したトナーを感光ドラムへ静電的に転移させるクリーニングモードを提案している。
【０００７】
特許文献１では、記録材の給送間隔の白地部で転写ローラに通常の転写電圧を印加して感光ドラム上の反対極性に帯電したかぶりトナーが転写ローラへ転写されることを阻止している。しかし、白地部のかぶりトナーには、後述するように、正規極性に帯電したトナーも含まれているため、正規極性に帯電したトナーは、転写電圧に応答して転写ローラへ移転してしまう。そこで、次の給送間隔では、転写電圧と反対極性の電圧を転写ローラに印加して、正規極性に帯電したトナーを転写ローラから感光ドラムへ戻している。その後、転写ローラへの転写を阻止した反対極性のかぶりトナーと感光ドラムへ戻した正規極性のかぶりトナーとは、感光ドラムに付設されたクリーニング装置によって回収される。
【先行技術文献】
【特許文献】
【０００８】
【特許文献１】特開２００５−３５２０４１号公報
【特許文献２】特開平９−１１４２７４号公報
【発明の概要】
【発明が解決しようとする課題】
【０００９】
像担持体の白地部に付着したかぶりトナーにおける正規極性に帯電したトナー（正規極性のトナー）と反対極性に帯電したトナー（反対極性のトナー）との比率は、一般的には等しくない。例えば、正規極性のトナーの極性が正極性の場合には、反対極性のトナーの極性は負極性となる。
【００１０】
そして、現像装置に設定される電圧条件、環境湿度等の画像形成条件によって、像担持体の白地部に付着する正規極性のかぶりトナーと反対極性のかぶりトナーとの比率が変化する。
【００１１】
このため、記録材の給送間隔（紙間）ごとに転写ローラの印加電圧を反転する特許文献２の制御では、記録材の給送間隔ごとに像担持体と転写ローラとの間で行き来するかぶりトナー量を十分に相殺できない。記録材の給送間隔ごとに行き来するかぶりトナー量の差が累積する結果、転写ローラにかぶりトナーが蓄積されて、記録材に裏汚れが発生するようになる。
【００１２】
本発明は、クリーニングモードに伴って像担持体と転写ローラとの間で行き来するトナー量のバランスが改善されて、転写ローラにトナーが蓄積しにくい画像形成装置を提供することを目的としている。画像比率が高い画像の連続画像形成を高速で実行しても、記録材に裏汚れが発生しにくい画像形成装置を提供することを目的としている。
【課題を解決するための手段】
【００１３】
本発明の画像形成装置は、像担持体と、像担持体上にトナー像を形成するトナー像形成手段と、前記像担持体に形成されたトナー像を記録材に転写する転写部材と、非画像形成時に前記転写部材にトナーの正規の帯電極性と同極性の電圧が印加されることで前記転写部材をクリーニングする第１クリーニングモードと非画像形成時に前記転写部材にトナーの正規の帯電極性と逆極性の電圧が印加されることで前記転写部材をクリーニングする第２クリーニングモードとを実行する実行部とを有するものである。そして、前記実行部は画像形成装置の使用環境に応じて第１クリーニングモードが実行される時間と第２クリーニングモードが実行される時間との割合を変更する。
【００１４】
本発明の画像形成装置は、像担持体と、前記像担持体上にトナー像を形成するトナー像形成手段と、前記像担持体から転写されたトナー像を担持する中間転写体と、前記中間転写体に形成されたトナー像を記録材に転写する転写部材と、前記転写部材にトナーの正規の帯電極性と同極性の電圧が印加されることで前記転写部材をクリーニングする第１クリーニングモードと前記転写部材にトナーの正規の帯電極性と逆極性の電圧が印加されることで前記転写部材をクリーニングする第２クリーニングモードとを実行する実行部とを有するものである。そして、前記実行部は画像形成装置の使用環境に応じて第１クリーニングモードが実行される時間と第２クリーニングモードが実行される時間との割合を変更する。
【発明の効果】
【００１５】
本発明の画像形成装置では、現像装置の使用環境によって、負極性のかぶりトナーと正極性のかぶりトナーとの割合がかわっても、転写部材の汚れを低減することができる。
【図面の簡単な説明】
【００１６】
【図１】画像形成装置の構成の説明図である。
【図２】画像形成装置の制御系のブロック図である。
【図３】中間転写ベルト上のカブリトナーのトナー帯電量分布の測定結果の説明図である。
【図４】現像コントラスト及びカブリ取りコントラストの説明図である。
【図５】カブリ取りコントラストと現像かぶり濃度との関係の説明図である。
【図６】比較例のクリーニングモードの説明図である。
【図７】実施例１の制御のタイミングチャートである。
【図８】実施例１の制御のフローチャートである。
【図９】実施例１の制御のフローチャートである。
【図１０】実施例２の制御のタイミングチャートである。
【発明を実施するための形態】
【００１７】
以下、図面を参照して本発明の実施形態を詳細に説明する。本発明は、非画像形成時の転写部へ印加される正負極性の電圧印加時間が異なる限りにおいて、実施形態の構成の一部または全部を、その代替的な構成で置き換えた別の実施形態でも実施できる。
【００１８】
モノクロ画像を形成する画像形成装置に限らず、タンデム型、１ドラム型のフルカラー画像を形成する画像形成装置でも実施できる。
【００１９】
本実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００２０】
なお、特許文献１、２に示される画像形成装置の一般的な事項については、図示を省略して重複する説明を省略する。
【００２１】
＜画像形成装置＞
図１は画像形成装置の構成の説明図、図２は画像形成装置の制御系のブロック図である。
【００２２】
図１に示すように、第１実施形態の画像形成装置１００は、中間転写ベルト９に沿って現像色がブラックの感光ドラム１を配置した高速モノクロプリンタである。
【００２３】
感光ドラム１に形成されたブラックトナー像が一次転写部Ｔ１で中間転写ベルト９に一次転写され、中間転写ベルト９によって二次転写部Ｔ２へ搬送されて記録材Ｐに二次転写される。二次転写部Ｔ２でトナー像を二次転写された記録材Ｐは、定着装置２０で加熱加圧を受けて、表面にトナー像を定着された後に外部へ排出される。
【００２４】
感光ドラム１の周囲には、コロナ帯電器２、露光装置３、現像装置４、一次転写ローラ１５、及びクリーニング装置１９が配置される。
【００２５】
感光ドラム１は、帯電極性が負極性の感光層を表面に形成した金属円筒で構成され、３００ｍｍ／ｓｅｃのプロセススピードで矢印Ｒ１方向に回転する。
【００２６】
コロナ帯電器２は、コロナ放電に伴う荷電粒子を感光ドラム１に照射して感光ドラム１の表面を一様な負極性の電位に帯電させる。
【００２７】
露光装置３は、画像データを展開した走査線画像データをＯＮ−ＯＦＦ変調したレーザービームを多面体ミラーで走査して、帯電した感光ドラム１の表面に画像の静電像を書き込む。
【００２８】
現像装置４は、固定磁極４ｍを中心にして回転する現像スリーブ４ｓに一成分現像剤（磁性トナー）を担持する。
【００２９】
電源Ｄ４は、負極性の直流電圧に交流電圧を重畳した振動電圧を現像スリーブ４ｓに印加する。これにより、現像スリーブ４ｓよりも相対的に正極性になった感光ドラム１の露光部に磁性トナーが移転して静電像が反転現像される。
【００３０】
一次転写ローラ１５は、感光ドラム１に向かって所定の加圧力で加圧され、感光ドラム１との間に中間転写ベルト４を挟み込んで、感光ドラム１と中間転写ベルト４との間に一次転写部Ｔ１を形成する。
【００３１】
電源Ｄ１は、一次転写ローラ１５に正極性の直流電圧を印加する。これにより、負極性に帯電して感光ドラム１に担持されたトナー像が中間転写ベルト９に一次転写される。
【００３２】
１枚ずつに分離して給送された記録材Ｐは、レジストローラ１７で待機し、中間転写ベルト９のトナー像にタイミングを合わせて、二次転写部Ｔ２へ送り出される。
【００３３】
転写ローラの一例である二次転写ローラ１６は、対向ローラ１３に向かって所定の加圧力で加圧され、対向ローラ１３によって内側から支持された中間転写ベルト９に当接して二次転写部Ｔ２を形成する。二次転写部Ｔ２は、トナー像を担持した中間転写ベルト９に重ね合わせて記録材Ｐを挟持搬送する。
【００３４】
二次転写ローラ１６が電源Ｄ２に接続される一方、対向ローラ１３は、接地電位に接続されている。電源Ｄ２は、二次転写ローラ１６に正極性の直流電圧を印加する。これにより、負極性に帯電して中間転写ベルト４に担持されたトナー像が記録材Ｐへ二次転写される。
【００３５】
クリーニング装置１９は、一次転写部Ｔ１を通過した感光ドラム１の表面にクリーニングブレードを摺擦させて、感光ドラム１に付着した転写残トナーを除去する。ベルトクリーニング装置２１は、二次転写部Ｔ２を通過した中間転写ベルト４にクリーニングブレードを摺擦させて、中間転写ベルト４に付着した転写残トナーを除去する。光学センサ２３は、中間転写ベルト９に一次転写されたトナー像（パッチ画像）の濃度を光学的に検出する。
【００３６】
＜転写部＞
像担持体の一例である中間転写ベルト９は、テンションローラ１２、対向ローラ１３、駆動ローラ１４、及び張架ローラ１０、１１に掛け渡して支持され、駆動ローラ１４に駆動されて矢印Ｒ２方向へ回転する。張架ローラ１０、１１は、一次転写部Ｔ１の近傍に配置された金属製の従動ローラであって、中間転写ベルト９の平坦な一次転写面を形成する。テンションローラ１２は中間転写ベルト９の張力を一定に制御する。
【００３７】
中間転写ベルト９は、厚さ０．０８ｍｍのポリイミド樹脂に帯電防止剤としてカーボンブラックを適当量含有させて体積抵抗率を１×１０８〜１０１３［Ω・ｃｍ］に調整した無端ベルトである。中間転写ベルト９は、ポリカーボネート、ポリエステル、ポリプロピレン、ポリエチレンテレフタレート、アクリル、塩化ビニル等の樹脂または各種ゴム等を用いた厚みを０．０７〜０．１［ｍｍ］のものを用いてもよい。
【００３８】
二次転写ローラ１６は、直径１２ｍｍの金属製の中心軸部材の外側に厚さ６ｍｍ弾性層を配置して外径２４ｍｍに形成される。弾性層は、セル径０．０５〜１．０ｍｍのカーボンブラック分散のウレタンゴム発泡層で、抵抗値を５×１０５Ω／ｃｍに調整してある。
【００３９】
電源Ｄ２は、トナー像の転写に用いる正極性の直流電圧と、これに絶対値が等しい負極性の直流電圧とを切り替えて二次転写ローラ１６に印加する。トナー像の転写に用いる直流電圧は、画像形成の前回転時に、記録材Ｐの無い状態で、複数段階の試験電圧を二次転写ローラ１６に印加して電流を測定し、所定の転写電流が得られるように試験電圧を補間演算して自動設定される。
【００４０】
＜制御部＞
図２に示すように、制御部（実行部）１５０は、図１に示す画像形成装置１００を制御して画像形成を実行する。
【００４１】
制御部１５０は、ＣＰＵ回路部１５３を有し、ＲＯＭ１５１およびＲＡＭ１５２を内蔵する。ＲＯＭ１５１は、画像形成の制御プログラム及び各種データを格納し、ＲＡＭ１５２は、制御データを一時的に保持し、制御に伴う演算処理の作業領域として用いられる。ＣＰＵ回路部１５３は、ＲＯＭ１５１から呼び出した制御プログラム及び各種データを用いて、ＲＡＭ１５２上で必要な演算と制御を実行して、連続画像形成プロセスを総括的に制御する。
【００４２】
原稿給送装置制御部１０１は、原稿給送部を制御部１５０からの指示に基づき駆動制御する。
【００４３】
イメージリーダ制御部２０１は、スキャナユニット１０４、イメージセンサ１０９等に対する駆動制御を行い、イメージセンサ１０９から出力されたアナログ画像信号を画像信号制御部２０２へ転送する。
【００４４】
画像信号制御部２０２は、アナログ画像信号をデジタル信号に変換して各種処理を施す。また、画像信号制御部２０２は、コンピュータ２１０から外部Ｉ／Ｆ２０９を介して入力されたデジタル画像信号に各種処理を施す。画像信号制御部２０２による処理動作は、制御部１５０によって制御される。
【００４５】
各種処理が施されたこれらのデジタル信号は、ビデオ信号に変換されてプリンタ制御部３０４へ出力される。プリンタ制御部３０４は、入力されたビデオ信号に基づき露光装置（３：図１）の露光制御部を駆動する。また、ビデオ信号をビデオカウント処理して、後述する画像比率を演算する。
【００４６】
操作表示装置制御部６０１は、操作表示装置６００と制御部１５０との間で情報のやり取りを行う。例えば、操作表示装置制御部６０１は、操作表示装置６００の各キーの操作に対応するキー信号を制御部１５０へ出力するとともに、制御部１５０からの表示すべき情報を操作表示装置６００へ出力して表示させる。
【００４７】
＜クリーニングモード＞
図３は中間転写ベルト上のカブリトナーのトナー帯電量分布の測定結果の説明図、図４は現像コントラスト及びカブリ取りコントラストの説明図、図５はカブリ取りコントラストと現像かぶり濃度との関係の説明図である。
【００４８】
近年、ＰＯＤ（Ｐｒｉｎｔ Ｏｎ Ｄｅｍａｎｄ）市場に対応させて、画像形成装置の高速化、高画質化が進められ、高速で大量ジョブに対応できるようなプリンタ、複写機等が開発されている。
【００４９】
高速で大量の連続画像形成を短時間に実行する画像形成装置は、連続画像形成中の二次転写ローラ１６が常に中間転写ベルト９に接触状態である。このため、二次転写ローラ１６と中間転写ベルト９との間に記録材Ｐが介在しない紙間では、中間転写ベルト９に付着したかぶりトナーによって二次転写ローラ１６の表面が汚れてしまう。
【００５０】
中間転写ベルト９に付着したかぶりトナーは、現像装置４による静電像の現像プロセスで感光ドラム１の白画像部に付着したかぶりトナーが一次転写部Ｔ１へ搬送されて中間転写ベルト９に転写されたものである。
【００５１】
トナーの正規の帯電極性がマイナス（−）であるため、現像容器４ａ中のトナーは、正規極性側のマイナス帯電（−）トナーが大半を占める。このため、図３に示すように、中間転写ベルト９に付着したかぶりトナーも正規極性側のマイナス帯電（−）トナーが大半を占める。かぶりトナーの帯電量分布は、ホソカワミクロン株式会社の粒子帯電量測定器イースパートアナライザ（登録商標）を用いて中間転写ベルト９の表面からかぶりトナーを吸引して測定した。
【００５２】
図１を参照して図４に示すように、暗部電位Ｖｄ（−５００Ｖ）に帯電された感光ドラム１の表面が露光されて明部電位ＶＬ（−１００Ｖ）に低下することで、感光ドラム１に静電像が形成される。その後、直流電圧Ｖｄｃ（−３００Ｖ）に交流電圧を重畳した振動電圧が現像スリーブ４ｓに印加されることで、直流電圧Ｖｄｃよりも相対的に正極性となった明部電位ＶＬの部分にマイナス帯電（−）トナーが付着する。
【００５３】
ここで、直流電圧Ｖｄｃと明部電位ＶＬとの電位差（２００Ｖ）が画像の最大濃度を形成する現像コントラストＶｃｏｎｔである。そして、直流電圧Ｖｄｃと暗部電位Ｖｄとの電位差（−２００Ｖ）が画像の最低濃度、すなわち現像スリーブ４ｓへマイナス帯電（−）トナーを引き戻して白地部を形成するためのカブリ取りコントラストＶｂａｃｋである。
【００５４】
図１を参照して図５に示すように、カブリ取りコントラストＶｂａｃｋが低い場合、感光ドラム１から現像スリーブ４へマイナス帯電（−）トナーを引き戻す効果が少ないので、白地部に付着するマイナス帯電（−）トナーが増えてカブリ濃度が高くなる。
【００５５】
しかし、カブリ取りコントラストＶｂａｃｋが高い領域では、図３に示すように現像剤中に少量含まれるプラス帯電（＋）トナーがカブリ取りコントラストＶｂａｃｋに応答して現像スリーブ４から感光ドラム１へ転移する。このため、カブリ取りコントラストＶｂａｃｋを必要以上に大きくすると、白地部に付着するプラス帯電（＋）トナーが増えてカブリ濃度が再び高くなる。
【００５６】
このため、直流電圧Ｖｄｃは、現像時のカブリ濃度が最も低いカブリ取りコントラストＶｂａｃｋに相当させて設定される。しかし、感光ドラム１の暗部電位Ｖｄムラや、現像条件の振れ、トナー帯電量の振れ、トナー帯電量分布の振れ等の要因によって、実際のカブリ濃度は振れる可能性がある。
【００５７】
そして、感光ドラム１上のかぶりトナーは、一次転写ローラに印加されるプラスのバイアスによって感光ドラム１から中間転写ベルト９に一次転写される。このとき、感光ドラム１上のかぶりトナーがプラスバイアスによる選別を受ける。
【００５８】
上述したように、感光ドラム１上のかぶりトナーは、正規極性であるマイナス帯電したかぶりトナーと反対極性のプラス帯電したかぶりトナーを含む。そして、プラスバイアスによって中間転写ベルト９に一次転写されるかぶりトナーは、マイナス帯電のかぶりトナーが多くなる。
【００５９】
感光ドラム１上のかぶりトナーのうちプラス帯電のかぶりトナーは、一次転写ローラ１５の加圧による付着転写、およびマイナス帯電のかぶりトナーとの混合移転を除けば、静電的にプラスバイアスに反発するため、転写される量が少ない。このため、中間転写ベルト９上のかぶりトナーは、図３に示すように、マイナス帯電したかぶりトナーが大半を占める。
【００６０】
そして、マイナス帯電したかぶりトナーが大半を占める中間転写ベルト９上のかぶりトナーは、記録材Ｐが二次転写部Ｔ２に介在していれば、二次転写ローラ１６に印加されたプラスのバイアスに引き付けられて記録材Ｐに転写される。
【００６１】
しかし、記録材Ｐが二次転写部Ｔ２に介在しない記録材Ｐの給送間隔では、マイナス帯電したかぶりトナーが二次転写ローラ１６に印加されたプラスのバイアスに引き付けられて二次転写ローラ１６に転写される。二次転写部Ｔ２に記録材Ｐが介在しないタイミングで、二次転写ローラ１６にプラスバイアスを印加すると、中間転写ベルト９上の正規極性のかぶりトナーを二次転写ローラ１６に引き付けてしまう。このため、高速で大量の連続画像形成を短時間に実行すると、二次転写ローラ１６がかぶりトナーで急速に汚れてしまい、ごく短期間で記録材Ｐの裏汚れが発生する。
【００６２】
そこで、画像形成装置１００では、トナーの正規極性と同極性であるマイナスバイアスを二次転写ローラ１６に印加して、二次転写ローラ１６に付着したマイナス帯電のかぶりトナーを静電的にクリーニングする。二次転写ローラ１６上の正規極性のかぶりトナーを中間転写ベルト９へ吐き出すために、二次転写部Ｔ２に記録材Ｐが介在しないタイミングで、二次転写ローラ１６にマイナスバイアスを印加する。二次転写ローラ１６にマイナスバイアスを印加することで、二次転写ローラ１６に付着したトナーを反発して中間転写ベルト９へ押し戻して付着させる。
【００６３】
二次転写部Ｔ２の下流側には、中間転写ベルト９に付着した転写残トナーを除去するためのベルトクリーニング装置２１が設けられている。二次転写ローラ１６のクリーニングモードを通じて中間転写ベルト９に付着させたかぶりトナーは、ベルトクリーニング装置２１によって中間転写ベルト９から回収される。
【００６４】
＜比較例＞
図６は比較例のクリーニングモードの説明図である。
【００６５】
図１に示すように、画像形成装置１００は、１回の連続画像形成に含まれる記録材Ｐの給送間隔で第１クリーニングモード又は第２クリーニングモードを実行する。
【００６６】
第１クリーニングモードでは、記録材Ｐの給送間隔で二次転写ローラ１６にマイナスバイアスを印加して、二次転写ローラ１６に付着した正規極性のかぶりトナーを中間転写ベルト９に戻す。しかし、同時に、中間転写ベルト９に付着しているかぶりトナーの２０％を占める反対極性のかぶりトナーが二次転写ローラ１６に転写されてしまう。
【００６７】
第２クリーニングモードでは、記録材Ｐの給送間隔で二次転写ローラ１６にプラスバイアスを印加して、二次転写ローラ１６に付着した反対極性のかぶりトナーを中間転写ベルト９に戻す。しかし、同時に、中間転写ベルト９に付着しているかぶりトナーの８０％を占める正規極性のかぶりトナーが二次転写ローラ１６に転写されてしまう。
【００６８】
図１を参照して図６に示すように、比較例１では、記録材Ｐの給送間隔ごとに第１クリーニングモードだけを繰り返した。比較例２では、特許文献１に示されるように、記録材Ｐの給送間隔ごとに第１クリーニングモードと第２クリーニングモードとを交互に繰り返した。
【００６９】
比較例１では、二次転写ローラ１６から中間転写ベルト９へ正規極性のかぶりトナーが戻されない。このため、正規極性のかぶりトナーが二次転写ローラ１６に一方的に蓄積され続けて二次転写ローラ１６が急速に汚れてしまい、ごく短期間で記録材Ｐの裏汚れが発生する。
【００７０】
比較例２では、第１クリーニングモードに伴って二次転写ローラ１６へ転写された反対極性のかぶりトナーについては、第２クリーニングモードで中間転写ベルト９へほぼ完全に戻される。しかし、第２クリーニングモードに伴って二次転写ローラ１６へ転写された正規極性のかぶりトナーについては、第１クリーニングモードでその一部しか中間転写ベルト９へ戻せない。
【００７１】
このため、戻せなかった正規極性のかぶりトナーが二次転写ローラ１６に蓄積して二次転写ローラ１６が少しずつ汚れてしまい、比較的に短期間で、記録材Ｐの裏汚れが発生する。
【００７２】
言い換えれば、等しい帯電量、帯電極性のトナーを等しい転写電圧を用いて転写する場合、スポンジ組織の転写ローラから平滑な像担持体へ転写する転写効率は、逆方向の転写効率に比較して低くなる。このため、第１クリーニングモードが実行された合計時間と第２クリーニングモードが実行された合計時間とが等しい場合、戻せなかった多数派の帯電極性のトナーが転写ローラへ次第に蓄積してしまう。
【００７３】
比較例２では、仮に、正規極性のかぶりトナーと反対極性のかぶりトナーの比率が等しいとすれば、第１クリーニングモードと第２クリーニングモードの時間が等しくても、転写ローラに正規極性のかぶりトナーだけが過剰に蓄積されることはない。
【００７４】
しかし、実際には、図３に示すように正規極性のかぶりトナーと反対極性のかぶりトナーの比率が一致する可能性は低い。このため、比較例２では、記録材Ｐの裏汚れの発生を回避できない。
【００７５】
正規極性のかぶりトナーと反対極性のかぶりトナーの比率が４／１の場合、第２クリーニングモードで転写ローラへ転写された大量の正規極性のかぶりトナーは、次の一回の第１クリーニングモードだけでは相当量が転写ローラへ残ってしまう。一方、第１クリーニングモードで転写ローラへ転写される小量の反対極性のかぶりトナーの場合、次の一回の第２クリーニングモードだけで転写ローラへはほとんど残らない状態になる。つまり、比較例２の制御では、第２クリーニングモードにクリーニング能力の余力がある一方で第１クリーニングモードのクリーニング能力が不十分である。
【００７６】
以下の実施例では、連続して記録材上に画像を形成する連続画像形成時には、比較例２と同様に画像形成動作間に転写部材に電圧が印加されることで転写部材がクリーニングされる。しかし、比較例２よりも第２クリーニングモードの回数を減らして、二次転写ローラ１６に転写される正規極性のかぶりトナーを減らしている。そして、第１クリーニングモードの回数を増すことにより、二次転写ローラ１６に転写された正規極性のかぶりトナーを複数回に分けて確実に中間転写ベルト９へ戻している。図３に示すように、中間転写ベルト９に付着したかぶりトナーに占めるマイナス帯電トナーの割合が高いので、二次転写ローラ１６におけるマイナス帯電トナーの蓄積を優先的に阻止している。
【００７７】
＜実施例１＞
図７は実施例１の制御のタイミングチャート、図８は実施例１の制御のフローチャートである。
【００７８】
図３に示すように、中間転写ベルト９に付着したかぶりトナーのうち、正規極性であるマイナス帯電したトナーが全体の８割、反対極性であるプラス帯電したトナーは全体の２割である。
【００７９】
実施例１では、連続画像形成における記録材の給送間隔に印加するバイアスを給送間隔ごとに設定するが、すべての給送間隔のうち８割をマイナスバイアス、２割をプラスバイアスに設定する。記録材の給送間隔は１００ｍｍ一定で二次転写ローラ１６の周長７５ｍｍよりも長い。
【００８０】
つまり、連続画像形成中の連続した５つの給送間隔を１セットと考えた場合、５回のうち４回で二次転写ローラ１６に付着したマイナストナーが中間転写ベルト９へ戻されるマイナスバイアスをかける。
【００８１】
そして、５回のうちで残りの１回で二次転写ローラ１６にプラスバイアスをかける。１０枚の連続画像形成であれば、このパターンを２セット、１０００枚の連続画像形成であればこのパターンを２００セット繰り返す。
【００８２】
図１を参照して図７に示すように、実施例１では、１０枚以上の連続画像形成の場合、最初の４枚の記録材に対応する給送間隔Ｂ１〜Ｂ４に関して、二次転写バイアスであるプラスバイアスと絶対値が等しい逆極性のマイナスバイアスを印加する。給送間隔Ｂ１〜Ｂ４のバイアス印加により、中間転写ベルト９上に存在するマイナス帯電のトナーを反発するので、マイナス帯電のトナーが二次転写ローラ１６を汚すことは無い。
【００８３】
しかし、中間転写ベルト９上に存在するプラス帯電のトナーは二次転写ローラ１６に付着するが、かぶりトナー中に占める割合が全体の２割に過ぎないので、二次転写ローラ１６が極端に汚れることは無い。
【００８４】
次に、５枚目の記録材が通過した後の給送間隔Ｂ５では、二次転写バイアスと同極性のプラスバイアスを印加する。これにより、給送間隔Ｂ１〜Ｂ４で溜め込んだプラス帯電のトナーを中間転写ベルト９に移転させてベルトクリーニング装置２１に回収する。
【００８５】
給送間隔Ｂ５では、中間転写ベルト９上のプラス帯電トナーを反発するので、プラス帯電トナーが二次転写ローラ９に転写されることは無い。しかし、中間転写ベルト９上に多く存在するマイナス帯電トナーが二次転写ローラ１６に相当量付着してしまう。
【００８６】
このため、６枚目以降の４回の給送間隔で再びマイナス帯電トナーが反発されるマイナスバイアスを二次転写ローラ１６に印加して、４回に分散して二次転写ローラ１６から中間転写ベルト９へ移転させる。そして、９枚目の記録材が通過した後の給送間隔で給送間隔Ｂ５と同様にプラスバイアスを印加して、４回の給送間隔で溜め込んだプラス帯電のトナーを中間転写ベルト９に移転させる。
【００８７】
図１を参照して図８に示すように、制御部１５０は、ユーザーからＮ枚の連続画像形成が指令されると（Ｓ１０１）、画像形成装置を起動して（Ｓ１０２）、前回転を実行する（Ｓ１０３）。
【００８８】
制御部１５０は、感光ドラム１を用いた画像形成を開始して（Ｓ１０４）、二次転写ローラ１６にプラスバイアスを印加して二次転写を実行する（Ｓ１０５）。
【００８９】
制御部１５０は、画像形成が終了すると（Ｓ１０６）、Ｎ枚のプリントが終了したか否かを確認する（Ｓ１０７）。そして、Ｎ枚終了していれば（Ｓ１０７のＹＥＳ）、後回転を実行して（Ｓ１１３）、連続画像形成を終了する（Ｓ１１４）。
【００９０】
制御部１５０は、Ｎ枚終了していなければ（Ｓ１０７のＮＯ）、給送間隔（紙間）で二次転写ローラ１６のクリーニングモードを実行する（Ｓ１０８）。
【００９１】
制御部１５０は、第１クリーニングモードの規定回数が終了したか否かを判断する（Ｓ１０９）。上述したように、実施例１では、図３に示すかぶりトナーの帯電量分布から５枚を１サイクルとして４回をマイナスバイアス、１回をプラスバイアスとしている。
【００９２】
制御部１５０は、規定回数＋１であれば（Ｓ１０９のＹＥＳ）、二次転写ローラ１６にプラスバイアスを印加する（Ｓ１１１）が、規定回数まで（Ｓ１０９のＮＯ）は二次転写ローラ１６にマイナスバイアスを印加する（Ｓ１１０）。
【００９３】
制御部１５０は、紙間が終了すると（Ｓ１１２）、次の画像形成を開始する（Ｓ１０４）。
【００９４】
実施例１の制御では、かぶりトナーの帯電量分布を実際に測定して得たマイナス帯電トナー/プラス帯電トナー比率（＝８／２）に対応させて制御の１サイクルを５回に設定した。第１クリーニングモードが実行される給送間隔と第２クリーニングモードが実行される給送間隔との比率を満たすような最小の回数で、第１クリーニングモードと第２クリーニングモードとを規則的に繰り返した。
【００９５】
これにより、二次転写ローラ１６に転写されたかぶりトナーが電荷を減衰して静電的な移転が不可能になる前に中間転写ベルト９へ戻すので、二次転写ローラ１６に電荷を喪失したトナーが蓄積されにくい。
【００９６】
ただし、１セットは５回には限らず、１０回を１セットとして８回マイナスバイアスを印加した後、２回プラスバイアスを印加してもよい。５０回を１セットとして４０回マイナスバイアスを印加した後、１０回プラスバイアスを印加してもよい。１サイクルの中の分配も、トータルとして８：２の割合に収まれば種々変更できる。
【００９７】
１セットの回数と同極性のバイアスの繰り返し回数とは、二次転写ローラ１６が裏汚れを発生しないでトナーを溜め込む能力と、静電クリーニング能力とのバランスで設定すればよい。
【００９８】
上述したように、標準状態として、中間転写ベルト９上のかぶりトナーの帯電量分布の実測値に基づいて第１クリーニングモードと第２クリーニングモードの配分を設定した。
【００９９】
次に、標準状態を想定した実施例１の制御を基本としつつ、かぶりトナーの帯電量分布が変化する要因（１）〜（６）に応じて第１クリーニングモードと第２クリーニングモードの配分を調整する。
【０１００】
現像装置の累積画像形成枚数、画像比率、連続停止時間、環境温度湿度といった画像形成条件に応じて第１クリーニングモードと第２クリーニングモードの配分を調整する。具体的には、トナーの帯電量が低くなる画像形成条件では、反対極性のかぶりトナーが増えるので、第１クリーニングモードの比率を低下させる。そして、トナーの帯電量が高くなる画像形成条件では正規極性のかぶりトナーが増えるので第２クリーニングモードの比率を低下させる。
【０１０１】
（１）現像装置の画像形成回数が多くなると、現像容器内の現像剤が劣化してトナーの帯電能力が落ちるため、トナーの帯電量分布が全体的に反対極性側にシフトする。このため、中間転写ベルト９上のかぶりトナーに占めるプラス帯電トナーの割合が高まる。
【０１０２】
（２）画像比率が低い画像は、白地比率が高くてトナー消費量が少ないため、画像比率の低い連続画像形成が続くと、現像容器中のトナーは、感光ドラムに現像されるまでに時間がかかる。よって現像容器中で攪拌を受けて摩擦帯電される機会が増える分、トナーの帯電量分布が全体的に正規極性側にシフトする。このため、中間転写ベルト９上のかぶりトナーに占めるプラス帯電トナーの割合が低くなる。
【０１０３】
なお、画像比率とは、ビデオ信号のビデオカウント処理又は露光信号のドットカウント処理によって求められる画像全体のトナー載り量のパラメータである。全面最大濃度の画像（例えばべた黒画像）を１００として、画像ごとの全面の濃度累積値を％で定義した数値である。例えば、通常の文字画像の場合は３〜５％、最大濃度フルカラー（４色）の全面画像の場合は２００％程度である。
【０１０４】
（３）画像比率が高い画像はトナー消費量が多いため、画像比率の高い連続画像形成が続くと、現像容器中のトナーは、十分に摩擦帯電を受けない状態で感光ドラムに現像される。このため、中間転写ベルト９上のかぶりトナーに占めるプラス帯電トナーの割合が高まる。
【０１０５】
（４）画像形成装置が停止状態で長期放置されると、起動直後の連続画像形成では、長期放置による影響でトナーの帯電量が落ちて、トナーの帯電量分布が全体的に反対極性側にシフトする。このため、中間転写ベルト９上のかぶりトナーに占めるプラス帯電トナーの割合が高まる。
【０１０６】
（５）低湿度環境では、トナーに含まれる水分量が少ないためトナーの帯電能力が高まり、トナーの帯電量分布が全体的に正規極性側にシフトする。このため、中間転写ベルト９上のかぶりトナーに占めるプラス帯電トナーの割合が低くなる。
【０１０７】
（６）高湿度環境では、トナーに含まれる水分量が増えてトナーの電荷が減衰し易くなるため、トナーの帯電量分布が全体的に反対極性側にシフトする。このため、中間転写ベルト９上のかぶりトナーに占めるプラス帯電トナーの割合が高くなる。
【０１０８】
図１を参照して図９に示すように、制御部１５０は、上記（１）〜（６）の条件に合わせて、記録材の給送間隔で二次転写ローラ１６に印加するバイアスの極性比率を調整する。そして、調整した極性比率を用いて図８に示す実施例１の制御を行う。
【０１０９】
制御部１５０は、コピースタートが入力されると（Ｓ００１）、現像装置における画像形成の累積枚数からプラスマイナスのバイアス比率を判断する（Ｓ００２）。画像形成回数がＸ（１万枚）を超えると（Ｓ００２のＹＥＳ）、上記（１）で説明したようにプラス帯電のかぶりトナーが増える。
【０１１０】
そこで、実施例１で説明した２サイクル１０回の給送間隔におけるプラスバイアスの印加回数を０．５引き上げる（Ｓ００３）。変更前のマイナスバイアス／プラスバイアスの印加回数比率が８／２であれば、マイナスバイアスの印加回数が７．５、プラスバイアスの印加回数が２．５に調整される。
【０１１１】
制御部１５０は、次に、入力された画像形成ジョブで連続画像形成する画像の画像比率からプラスマイナスのバイアス比率を判断する（Ｓ００４）。
【０１１２】
画像比率が５％を下回る画像の連続画像形成を行うと、上記（２）で説明したように、プラス帯電のかぶりトナーが減る。このため、制御部１５０は、画像比率が５％以下と判断されると（Ｓ００４のＹＥＳ）プラスバイアスの印加回数を０．５下げる（Ｓ００５）。
【０１１３】
画像比率が２０％を上回る画像の連続画像形成を行うと、上記（３）で説明したように、プラス帯電のかぶりトナーが増える。このため、制御部１５０は、画像比率が２０％以上と判断されると（Ｓ００６のＹＥＳ）プラスバイアスの印加回数を０．５上げる（Ｓ００７）。
【０１１４】
制御部１５０は、次に、放置時間からプラスマイナスのバイアス比率を判断する（Ｓ００８）。
【０１１５】
画像形成装置１００が停止状態でＭ時間（３日間）以上放置されると、上記（４）で説明したようにプラス帯電のかぶりトナーが増える。このため、制御部１５０は、停止状態が７２時間以上と判断されると（Ｓ００８のＹＥＳ）プラスバイアスの印加回数を０．５上げる（Ｓ００９）。
【０１１６】
制御部１５０は、次に、湿度を検知する湿度検知部（環境センサ）の出力を読み込んで環境湿度を判別し、環境湿度からプラスマイナスのバイアス比率を判断する（Ｓ０１０、Ｓ０１２）。
【０１１７】
環境湿度が２０％を割り込むと、上記（４）で説明したようにプラス帯電のかぶりトナーが減る。このため、制御部１５０は、環境湿度が２０％以下と判断されると（Ｓ０１０のＹＥＳ）プラスバイアスの印加回数を０．５下げる（Ｓ０１１）。本実施例では、環境湿度が２０％を境にして、プラス帯電のかぶりトナーとマイナス帯電のかぶりトナーの比率がかわるという検討結果から得られたものである。そのため、トナーの粒径等が異なる際には、他の値を用いても問題ない。
【０１１８】
環境湿度が８０％を超えると、上記（５）で説明したようにプラス帯電のかぶりトナーが増える。このため、制御部１５０は、環境湿度が８０％以上と判断されると（Ｓ０１２のＹＥＳ）プラスバイアスの印加回数を０．５下げる（Ｓ０１３）。本実施例では、環境湿度が８０％を境にして、プラス帯電のかぶりトナーとマイナス帯電のかぶりトナーの比率がかわるという検討結果から得られたものである。そのため、トナーの粒径等が異なる際には、他の値を用いても問題ない。
【０１１９】
このようにして、実施例１で設定されている２サイクル１０回の給送間隔におけるプラスバイアスの印加比率８／２に重み付けを行う。これにより、画像形成条件が振れた場合にも二次転写ローラ１６の汚れに対して最適なクリーニングモードを行うことができる。
【０１２０】
その後の動作に関しては、図８に示す実施例１の制御と同様に実行される。
【０１２１】
なお、重み付けの調整単位量に関しては、現像剤の特性により、累積枚数、画像比率、放置時間、環境湿度に対する感度が異なるため、上記値には限定されない。現像剤に応じて実験により最適化すべきである。
【０１２２】
＜実施例２＞
図１０は実施例２の制御のタイミングチャートである。
【０１２３】
実施例１では、記録材の給送間隔は１００ｍｍ一定で二次転写ローラ１６の周長７５ｍｍよりも長いが、１回の給送間隔では、二次転写ローラ１６に同一極性のバイアスを印加し続けた。
【０１２４】
実施例２では、記録材の給送間隔が記録材の種類に応じて可変に設定される。そして、記録材の給送間隔が２００ｍｍを超える場合には、プラスバイアスを二次転写ローラ１６の周長＋α（１００ｍｍ）までとして、余計な正規極性のかぶりトナーを二次転写ローラ１６へ転写させない。また、二次転写ローラ１６の周長分を除いた給送間隔では、マイナスバイアスを印加して、１サイクルの給送間隔の回数をできるだけ減らす。
【０１２５】
実施例２では、同一給送間隔において、プラスマイナスのバイアス比率が可変に設定される。連続して記録材上に画像を形成する連続画像形成時において、画像形成動作間（給送間隔）に転写部材に電圧が印加されることで転写部材がクリーニングされ、画像形成動作間（給送間隔）に選択されるクリーニングモードの割合が変更される。
【０１２６】
ＰＯＤ市場に対応した画像形成装置では、プロセススピードを高めるとともに、記録材の給送間隔をできるだけ短くすることで生産性を高めてきた。しかし、生産性をいくぶん犠牲にしても、厚みや表面性状が異なる各種の記録材へ対応できることが望まれている。
【０１２７】
坪量の大きい厚紙や表面が平滑なコート紙では、定着ニップを通過する過程での吸熱量が大きいため、通常の短い給送間隔では、定着装置が温度低下して定着不良を発生してしまう。このため、厚紙やコート紙を使用する際には、生産性を犠牲にして記録材の給送間隔を２００ｍｍくらいにまで拡大し、これにより、定着装置が過剰な温度低下を引き起さないようにしている。
【０１２８】
実施例２では、必要な定着温度を確保するために、記録材の給送間隔が拡大された場合、給送間隔ごとにバイアス極性を変更する制御を、一つの給送間隔内でバイアス極性を変更する制御に切り替える。
【０１２９】
図１０中、（ａ）は給送間隔ごとにバイアス極性を変更する制御、（ｂ）、（ｃ）は一つの給送間隔内でバイアス極性を変更する制御である。
【０１３０】
図１０の（ａ）に示すように、記録材の給送間隔が１００ｍｍの場合には、実施例１で説明したように、給送間隔ごとにバイアス極性を変更する。４回の給送間隔でマイナスバイアスを二次転写ローラ１６に印加し、続く１回の給送間隔でプラスバイアスを二次転写ローラ１６に印加する。
【０１３１】
図１０の（ｂ）に示すように、記録材の給送間隔が３００ｍｍに拡大されたとき、１サイクルを実施例１と等しく５００ｍｍとして、給送間隔の１００ｍｍごとにプラスマイナスのバイアス設定を行う。これにより、プラスマイナスのバイアス比率は（ａ）と等しく保たれている。
【０１３２】
すなわち、１番目の給送間隔３００ｍｍと２番目の給送間隔の最初の１００ｍｍとについてマイナスバイアスが二次転写ローラ１６に印加される。そして、同じ２番目の給送間隔の１００〜２００ｍｍの区間ではプラスバイアスが二次転写ローラ１６に印加される。同じ２番目の給送間隔の２００〜３００ｍｍの区間以降では、同様に５００ｍｍを１サイクルとするバイアス極性の制御が繰り返される。
【０１３３】
図１０の（ｃ）に示すように、記録材の給送間隔が５００ｍｍに拡大されたときも、１サイクルを５００ｍｍとして、給送間隔の１００ｍｍごとにプラスマイナスのバイアス設定を行う。これにより、プラスマイナスのバイアス比率は（ａ）と等しく保たれている。
【０１３４】
すなわち、１番目の給送間隔５００ｍｍのうち最初の４００ｍｍについてマイナスバイアスが二次転写ローラ１６に印加され、続く４００〜５００ｍｍの区間についてプラスバイアスが二次転写ローラ１６に印加される。２番目の給送間隔でも５００ｍｍを１サイクルとする同様なバイアス極性の制御が繰り返される。
【０１３５】
図１０の（ｄ）に示すように、連続画像形成の途中で給送間隔が１００ｍｍから４００ｍｍに切り替えた場合も、１サイクルを５００ｍｍとして、給送間隔の１００ｍｍごとにプラスマイナスのバイアス設定を行う。これにより、プラスマイナスのバイアス比率は（ａ）と等しく保たれている。
【０１３６】
例えば１、２枚目が普通紙で、３枚目が厚紙の場合、給送間隔を４００ｍｍに拡大して定着装置の定着温度を回復させた後に４枚目の定着を行う必要がある。
【０１３７】
この場合も、１番目と２番目の給送間隔１００ｍｍずつと、３番目の給送間隔の最初の２００ｍｍとの合計４００ｍｍの区間についてマイナスバイアスが二次転写ローラ１６に印加される。そして、３番目の給送間隔である２００〜３００ｍｍの区間について、プラスバイアスが二次転写ローラ１６に印加される。
【０１３８】
３番目の給送間隔の３００ｍｍ以降では、同様に５００ｍｍを１サイクルとするバイアス極性の制御が繰り返される。
【０１３９】
実施例２の制御によれば、連続画像形成における記録材の給送間隔が変更された場合に、給送間隔ごとではなく、１つの給送間隔でバイアス極性が制御されるので、二次転写ローラ１６の清掃を適切に行うことができる。
【０１４０】
実施例１、２の制御によれば、中間転写ベルト９上のかぶりトナーの帯電量分布に応じた二次転写ローラ１６の清掃を行うことができ、連続画像形成の生産性の低下を招くことなく記録材の裏汚れの発生を抑えることができる。
【０１４１】
＜実施例３＞
第１クリーニングモードが実行された合計時間と第２クリーニングモードが実行された合計時間との相対的な長短関係の設定は、実施例１、２には限定されない。像担持体の非画像部における正規極性に帯電したかぶりトナーと反対極性に帯電したかぶりトナーとの相対的な多少関係にぴったり追従させる必要は無い。多少関係の比率に追従して長短関係の比率とを完全一致させる必要は無い。
【０１４２】
＜実施例４＞
実施例１〜３では像担持体である感光ドラムに形成したトナー像を中間転写体である中間転写ベルトに一次転写して記録材に二次転写する画像形成装置における転写部材のクリーニングモードを説明した。しかし、本発明は、像担持体である感光ドラムに形成したトナー像を直接に記録材上へ転写する画像形成装置における転写部材のクリーニングモードへも利用できる。
【０１４３】
すなわち、実施例４は、像担持体上にトナー像を形成するトナー像形成手段と、像担持体に形成されたトナー像を記録材に転写する転写部材と、第１クリーニングモードと第２クリーニングモードとを実行する実行部とを備えた画像形成装置である。そして、第１クリーニングモードは、非画像形成時に転写部材にトナーの正規の帯電極性と同極性の電圧が印加されることで転写部材をクリーニングする。第２クリーニングモードは、第１クリーニングモードと非画像形成時に転写部材にトナーの正規の帯電極性と逆極性の電圧が印加されることで転写部材をクリーニングする。
【０１４４】
実施例４では、そのような画像形成装置において、実施例１と同様に、実行部が画像形成装置の使用環境に応じて第１クリーニングモードが実行される時間と第２クリーニングモードが実行される時間との割合を変更する。
【０１４５】
実施例４では、そのような画像形成装置において、実施例１と同様に、連続して記録材上に画像を形成する連続画像形成時には、画像形成動作間に転写部材に電圧が印加されることで転写部材がクリーニングされる。そして、画像形成装置の使用環境に応じて、画像形成動作間（給送間隔）に選択されるクリーニングモードの割合が変更される。
【産業上の利用可能性】
【０１４６】
転写部材を用いて記録材へトナー像を転写する画像形成装置。
【符号の説明】
【０１４７】
１  感光ドラム
２  コロナ帯電器
３  露光装置
４  現像装置
４ｓ  現像スリーブ
９  像担持体（中間転写ベルト）
１３  対向ローラ
１６  二次転写ローラ
２１  ベルトクリーニング装置
１５０  制御部
Ｄ１、Ｄ２  電源
【図１】
2010181470.tif 000003
【図２】
2010181470.tif 000004
【図３】
2010181470.tif 000005
【図４】
2010181470.tif 000006
【図５】
2010181470.tif 000007
【図６】
2010181470.tif 000008
【図７】
2010181470.tif 000009
【図８】
2010181470.tif 000010
【図９】
2010181470.tif 000011
【図１０】
2010181470.tif 000012